(57)【特許請求の範囲】
【請求項１】
使用者を含む被写体を撮影し、その撮影画像に対し、使用者により手書き画像等の第２画像を入力させて合成し、その合成画像が印刷されたシールプリントを、筐体に形成された送出口から送出して販売する写真自販機であって、
上記筐体は、第１筐体部と第２筐体部とが一体に形成された１つの筐体であり、
上記筐体の第１筐体部の前面には、フレームおよびカーテンで箱状に囲われた第１ブースが形成され、
上記第１筐体部に、上記第１ブース内の被写体を撮影するカメラが設けられ、
上記第１筐体部に隣接されて設けられた第２筐体部の前面には、フレームおよびカーテンで箱状に囲われた第２ブースが形成され、
上記第２筐体部の前面に、上記カメラで撮影された撮影画像を表示するとともに、上記第２ブース内における使用者の操作により手書き画像等の第２画像が入力されるディスプレイが設けられ、
上記ディスプレイに入力された手書き画像等の第２画像を、カメラによって撮影された撮影画像に合成する画像合成手段と、
上記画像合成手段で合成された撮影画像と第２画像との合成画像をシールプリントとして印刷出力するプリンタとを備え、
上記第２筐体部の側面に上記送出口が設けられ、
上記カメラによる撮影と、上記ディスプレイによる第２画像の入力とを同時に行ない得るようになっており、上記プリンタにより撮影画像と第２画像との合成画像が印刷されたシールプリントが送出口から送出されるようになっていることを特徴とする写真自販機。
【請求項２】
使用者を含む被写体を撮影し、その撮影画像に対し、使用者により手書き画像等の第２画像を入力させて合成し、その合成画像が印刷されたシールプリントを、筐体に形成された送出口から送出して販売する写真自販方法であって、
上記筐体は、第１筐体部と第２筐体部とが一体に形成された１つの筐体であり、
上記筐体の第１筐体部の前面には、フレームおよびカーテンで箱状に囲われた第１ブースが形成され、
上記第１筐体部に、上記第１ブース内の被写体を撮影するカメラが設けられ、
上記第１筐体部に隣接されて設けられた第２筐体部の前面には、フレームおよびカーテンで箱状に囲われた第２ブースが形成され、
上記第２筐体部の前面に、上記カメラで撮影された撮影画像を表示するとともに、上記第２ブース内における使用者の操作により手書き画像等の第２画像が入力されるディスプレイが設けられ、
上記ディスプレイに入力された手書き画像等の第２画像を、カメラによって撮影された撮影画像に合成する画像合成手段と、
上記画像合成手段で合成された撮影画像と第２画像との合成画像をシールプリントとして印刷出力するプリンタとを備え、
上記第２筐体部の側面に上記送出口が設けられ、
上記カメラによる撮影と、上記ディスプレイによる第２画像の入力とを同時に行ない、上記プリンタにより撮影画像と第２画像との合成画像が印刷されたシールプリントが送出口から送出されることを特徴とする写真自販方法。
【発明の詳細な説明】
【０００１】
【発明の属する技術分野】
本発明は、ゲームセンター等に設置され、硬貨等の投入により使用者を撮影し、撮影画像をプリントして販売する写真自販機および写真自販方法に関するものである。
【０００２】
【従来の技術】
近年、ゲームセンター等において、写真を撮影してシールプリント等にする写真自販機が数多く設置されている。このような写真自販機としては、一般に、図９に示すようなものが用いられている。このものは、内部および前面に各種の装置が設けられた筐体１と、上記筐体１の上下から被写体２の背後まで達するように突き出された支柱３とを備えている。
【０００３】
そして、上記両支柱３の先端部分に、撮影の際の背景となるカーテン５が吊設され、上記筐体１，支柱３，カーテン５で囲まれた空間が、被写体２の撮影用ブースを形成している。上側の支柱３には、撮影用ブース内の被写体２を照射する２つのライト４が取り付けられている。
【０００４】
上記筐体１の内部には、被写体２を撮影するカメラ６が設けられている。上記筐体１のカメラ６の被写体２側に位置する面には、透明板１０が嵌め込まれている。また、上記筐体１の内部には、上記カメラ６から画像データを受信して画像合成等の処理を行なうコンピュータ装置７が設けられている。また、上記筐体１の被写体２側には、上記コンピュータ装置７から送信された合成画像等の画像信号を受信して画像を表示するディスプレイ８が設けられている。
【０００５】
さらに、上記筐体１の内部には、コンピュータ装置７から送信された画像データを受信し、この画像を印刷媒体１５に印刷するプリンタ９が設けられている。このプリンタ９で印刷された印刷媒体１５は、筐体１の右側面に形成された送出口１９から送出されるようになっている。
【０００６】
さらに、上記筐体１の前面には操作パネルが設けられ、この操作パネルにコントローラ１１が設けられている。上記コントローラ１１は、タッチペン１２を備え、使用者２が上記タッチペン１２の先端をディスプレイ８の表面に接触させて文字や図形等を描いて入力しうるようになっており、手書き入力された文字・図形等の画像データやスタンプ画像等が、カメラ６で撮影された被写体２の撮影画像と合成されてディスプレイ８に表示され、印刷媒体１５に印刷されるようになっている。
【０００７】
【発明が解決しようとする課題】
上記写真自販機では、撮影用ブース内で撮影を行なったのち、手書き画像の入力も行なわれる。しかも、プリンタ９から排出される写真プリントも撮影用ブース内に向かって送出される。このため、一旦使用者２が撮影用ブースに入ると、撮影を行なって手書き画像を入力し、印刷が終了するまで撮影用ブースを占領することになる。したがって、つぎの使用者２は、前の使用者２が送出された写真プリントを手にしてその場からいなくなるまで撮影を開始することができず、顧客は不必要に待たされてイライラ感を抱き、店舗にとっては顧客の回転率が悪くなるという問題があった。
【０００８】
本発明は、このような事情に鑑みなされたもので、顧客の回転率を向上させることができる写真自販機および写真自販方法の提供を目的とする。
【０００９】
【課題を解決するための手段】
上記の目的を達成するため、本発明の写真自販機は、使用者を含む被写体を撮影し、その撮影画像に対し、使用者により手書き画像等の第２画像を入力させて合成し、その合成画像が印刷されたシールプリントを、筐体に形成された送出口から送出して販売する写真自販機であって、
上記筐体は、第１筐体部と第２筐体部とが一体に形成された１つの筐体であり、
上記筐体の第１筐体部の前面には、フレームおよびカーテンで箱状に囲われた第１ブースが形成され、
上記第１筐体部に、上記第１ブース内の被写体を撮影するカメラが設けられ、
上記第１筐体部に隣接されて設けられた第２筐体部の前面には、フレームおよびカーテンで箱状に囲われた第２ブースが形成され、
上記第２筐体部の前面に、上記カメラで撮影された撮影画像を表示するとともに、上記第２ブース内における使用者の操作により手書き画像等の第２画像が入力されるディスプレイが設けられ、
上記ディスプレイに入力された手書き画像等の第２画像を、カメラによって撮影された撮影画像に合成する画像合成手段と、
上記画像合成手段で合成された撮影画像と第２画像との合成画像をシールプリントとして印刷出力するプリンタとを備え、
上記第２筐体部の側面に上記送出口が設けられ、
上記カメラによる撮影と、上記ディスプレイによる第２画像の入力とを同時に行ない得るようになっており、上記プリンタにより撮影画像と第２画像との合成画像が印刷されたシールプリントが送出口から送出されるようになっていることを要旨とする。
また、本発明の写真自販方法は、使用者を含む被写体を撮影し、その撮影画像に対し、使用者により手書き画像等の第２画像を入力させて合成し、その合成画像が印刷されたシールプリントを、筐体に形成された送出口から送出して販売する写真自販方法であって、
上記筐体は、第１筐体部と第２筐体部とが一体に形成された１つの筐体であり、
上記筐体の第１筐体部の前面には、フレームおよびカーテンで箱状に囲われた第１ブースが形成され、
上記第１筐体部に、上記第１ブース内の被写体を撮影するカメラが設けられ、
上記第１筐体部に隣接されて設けられた第２筐体部の前面には、フレームおよびカーテンで箱状に囲われた第２ブースが形成され、
上記第２筐体部の前面に、上記カメラで撮影された撮影画像を表示するとともに、上記第２ブース内における使用者の操作により手書き画像等の第２画像が入力されるディスプレイが設けられ、
上記ディスプレイに入力された手書き画像等の第２画像を、カメラによって撮影された撮影画像に合成する画像合成手段と、
上記画像合成手段で合成された撮影画像と第２画像との合成画像をシールプリントとして印刷出力するプリンタとを備え、
上記第２筐体部の側面に上記送出口が設けられ、
上記カメラによる撮影と、上記ディスプレイによる第２画像の入力とを同時に行ない、上記プリンタにより撮影画像と第２画像との合成画像が印刷されたシールプリントが送出口から送出されることを要旨とする。
【００１０】
すなわち、本発明は、撮影は第１筐体のカメラで行い、第２画像の入力は第２筐体のディスプレイで行なうことができる。このように、撮影と第２画像の入力を異なる場所で行うことから、顧客は不必要に待たされることによるイライラ感を抱かなくなり、店舗にとっては顧客の回転率が大幅に向上する。
【００１１】
本発明において、上記第１筐体と第２筐体とが隣接させて設けられている場合には、第１筐体の前で撮影が終了した使用者は、スムーズに第２筐体の前に移動して第２画像の入力を行なえる。このため、場所を移動することによる混乱等が少なく、顧客はイライラ感を抱かなくなり、店舗にとっては顧客の回転率が向上する。
【００１２】
本発明において、上記第２筐体の第２画像の入力操作を行なう使用者と面する部分以外の部分に写真プリントの送出口が設けられている場合には、第２画像の入力が終了した使用者は、第２画像の入力位置と異なる位置で写真プリントの仕上がりを待つことができる。したがって、顧客は不必要に待たされることによるイライラ感を抱かなくなり、店舗にとっては顧客の回転率が大幅に向上する。
【００１３】
本発明において、上記第１筐体に撮影時の被写体が存在する第１ブースが設けられている場合や、第２筐体に撮影が終了した使用者が第２画像の入力操作を行なう第２ブースが設けられている場合には、第１筐体の前で撮影が終了した使用者は、スムーズに第２筐体の前に移動して第２画像の入力を行なえる。また、異なる顧客が同時に撮影と第２画像の入力を行なっても、隣の顧客が気になりにくい。このため、場所を移動することによる混乱等が少なく、顧客はイライラ感を抱かなくなり、店舗にとっては顧客の回転率が向上する。
【００１４】
本発明において、上記第１ブースと第２ブースが隣接させて設けられている場合や、上記第１筐体と第２筐体とが一体的に形成されている場合には、場所を移動することによる混乱等が少なく、顧客はイライラ感を抱かなくなり、店舗にとっては顧客の回転率が向上する。
【００１５】
本発明において、上記第１筐体の撮影手段による撮影と、第２筐体の第２画像入力手段による第２画像の入力とを同時に行ない得るように構成されている場合には、撮影手段によって撮影された撮影画像への第２画像の入力を行なうときに、つぎの使用者による撮影が可能になるため、顧客はイライラ感を抱かなくなり、店舗にとっては顧客の回転率が向上する。
【００１６】
【発明の実施の形態】
つぎに、本発明の実施の形態を詳しく説明する。
【００１７】
図１および図２は、本発明の写真自販機の一実施の形態を示す図である。この写真自販機は、内部および前面に各種の装置が設けられた第１筐体１ａと、同じく内部，前面ならびに側面に各種の装置が設けられた第２筐体１ｂとを備えている。以下、被写体２に面する側を各筐体１ａ，１ｂの「前面」、その反対側を「背面」、被写体２から見て右側の側面を各筐体１ａ，１ｂの「右側面」、その反対の側面を「左側面」という。
【００１８】
上記第１および第２筐体１ａ，１ｂの前面には、被写体２の背後を囲うよう箱状にフレーム３が組まれ（図１では一部を鎖線で示している）、第１筐体１ａ前のフレーム３で囲われた部分が被写体２が入る第１ブース１４ａを形成し、第２筐体１ｂ前のフレーム３で囲われた部分が被写体２が入る第２ブース１４ｂを形成している。
【００１９】
上記第１筐体１ａと第２筐体１ｂとは、隣接されて設けられており、上記第１ブース１４ａと第２ブース１４ｂも隣接されて設けられている。そして、上記各フレーム３のうち上側のフレームには、それぞれカーテン５（図１には示していない）が吊設され、第１ブース１４ａおよび第２ブース１４ｂがそれぞれカーテン５で囲われてある程度独立した空間を形成するようになっている。
【００２０】
上記第１筐体１ａの内部には、被写体２を撮影するカメラ６が設けられている。上記第１筐体１ａのカメラ６の被写体２側に位置する面には、透明板１０が嵌め込まれている。また、上記第１筐体１ａの上部には、撮影中の被写体２を照明するライト４が設けられている。
【００２１】
さらに、上記第１筐体１ａの被写体２側には、上記カメラ６で撮影された画像信号を受信して表示する第１ディスプレイ８ａが設けられている。上記第１ディスプレイ８ａとしては、ＣＲＴ装置等が用いられ、撮影中の使用者２に撮影画像を見やすく表示し、プレビュー確認等が行いやすくなっている。
【００２２】
また、上記第１筐体１ａの前面には、カメラ６で撮像された撮像映像を所定のタイミングで固定して静止画としての撮影映像を得るためのシャッタボタン１３が設けられている。また、上記第１筐体１ａの前面には、上記シャッタボタン１３の操作により静止画として固定された撮影映像が気に入らない場合に撮りなおしを行なうキャンセルボタン２０が設けられている。さらに、第１筐体１ａの前面には、対価としてのコインを投入するコイン投入口１８が設けられている。
【００２３】
また、第１筐体１ａ内部のコイン投入口１８に隣接した位置には、投入されたコインを検出して後述するコンピュータ装置７に検出信号を送信するコイン検出部１７（図３参照）が設けられている。また、筐体１前面の適所には、コンピュータ装置７から音声信号を受信して出力するスピーカ（図示せず）が設けられている。
【００２４】
一方、上記第２筐体１ｂの内部には、上記カメラ６から画像データを受信して画像の固定や画像合成等の処理を行なうコンピュータ装置７が設けられている。また、上記第２筐体１ｂの前面には、所定のシャッタタイミングで固定された撮影画像等を表示する第２ディスプレイ８ｂが設けられている。上記第２ディスプレイ８ｂとしては、液晶タブレット等が用いられ、後述するように、画像や情報の表示とともにデータの入力を行ない得るようになっている。
【００２５】
さらに、上記第２筐体１ｂの前面には操作パネルが設けられ、この操作パネルにコントローラ１１（図３参照）が設けられている。上記コントローラ１１は、タッチペン１２を備えており、使用者２が第２ディスプレイ８ｂに表示される操作指示に従って第２ディスプレイ８ｂの表面をタッチペン１２でタップ（軽く叩く）等することにより、各種の操作信号がコンピュータ装置７に送られ、シートレイアウトの選択等の各種操作が行なわれるようになっている。
【００２６】
また、上記タッチペン１２は、その先端を第２ディスプレイ８ｂの表面に接触させて文字や図形等を描いて入力しうるようになっており、手書き入力された文字・図形等の画像データやスタンプ画像等が、カメラ６で撮影されて固定された被写体２の撮影画像と合成されて第２ディスプレイ８ｂに表示されるようになっている。
【００２７】
さらに、上記第２筐体１ｂの内部には、コンピュータ装置７から送信された画像データを受信し、この画像を印刷媒体１５に印刷するプリンタ９が設けられている。このプリンタ９で印刷された印刷媒体１５は、第２筐体１ｂの左側面に形成された送出口１９から送出されるようになっている。
【００２８】
この例において、使用者２が第１ディスプレイ８ａから見る画像は、被写体２の撮影像であり、第２ディスプレイ８ｂから見る画像およびプリンタ９から印刷される画像は、被写体２の撮影像と、タッチペン１２による手書き入力画像等とが合成されたものである。図２において、１６は第１筐体１ａと第２筐体１ｂの間で電気的な配線を通す連通部である。
【００２９】
つぎに、上記コンピュータ装置７のシステム構成について詳しく説明する。
【００３０】
図３に示すように、上記コンピュータ装置７は、タッチペン１２により第２ディスプレイ８ｂの入力部３５に入力された各種の操作信号をコントローラ１１を介して受信し、受信した操作信号に応じて各種制御を行なう制御手段３１を備えている。上記制御手段３１は、コイン検出部１７からの検出信号を受信することにより、撮影等の制御を開始するようになっている。
【００３１】
上記第２ディスプレイ８ｂには、タッチペン１２によって手書き画像や操作信号が入力される入力部３５と、画像等を表示する表示部３６とが設けられている。上記タッチペン１２で入力された手書き画像等は、ペン画像記憶部３２に記憶され、記憶された手書き画像等のデータは、後述する画像合成手段３０に送られる。また、タッチペン１２によって入力された操作信号は、コントローラ１１を介して制御手段３１に送られ、各種の制御が行なわれる。
【００３２】
上記コンピュータ装置７には、タッチペン１２によるペン入力画像の入力可能時間を計測するタイマ２６が設けられている。上記タイマ２６は、制御手段３１による手書き画像開始の指示メッセージを第２ディスプレイ８ｂに表示させるのとほぼ同時に計測を開始する。上記タイマ２６の計測時間があらかじめ設定された所定の入力可能時間（例えば９０秒等）に達したときに手書き画像等の入力を停止してつぎの動作に移るようになっている。
【００３３】
また、上記コンピュータ装置７には固定画像記憶部３８が設けられ、使用者２によるシャッタボタン１３の操作により所望のシャッタタイミングで撮像映像を静止画像として固定するようになっている。そして、上記固定画像記憶部３８に固定された静止画としての撮影画像は、第１ディスプレイ８ａに表示されるようになっている。
【００３４】
また、上記コンピュータ装置７には、シャッタボタン１３のシャッタ操作によるカメラ６での撮影回数をカウントするカウンタ２５が設けられている。上記カウンタ２５は、コイン検出部１７による最初のコインの検出によってリセットされてカウントを開始する。上記カウンタ２５のカウントがあらかじめ設定された所定の撮影可能回数（例えば４回等）に達するまで、一定の時間間隔で撮影を繰り返し、複数の撮影画像（静止画像）を得るようになっている。
【００３５】
上記撮影画像（静止画像）は、第１ディスプレイ８ａに表示されて使用者２に対してプレビュー確認させるようになっている。そして、第１ディスプレイ８ａには、プレビューを確認させた静止画像について撮りなおしを希望するか否かの選択を促す画面を表示し、使用者２が撮りなおしを希望する場合は、キャンセルボタン２０でキャンセル操作を行なって再度シャッタ操作を行なうようになっている。
【００３６】
さらに、上記コンピュータ装置７には画像合成手段３０が設けられ、上記固定画像記憶部３８に固定された静止画像に、タッチペン１２によって第２ディスプレイ８ｂの入力部３５に入力され、ペン画像記憶部３２に記憶された文字や図形等の手書き画像等を合成するようになっている。上記画像合成手段３０で合成された合成画像は、第２ディスプレイ８ｂの表示部３６に表示されるようになっている。
【００３７】
また、上記コンピュータ装置７には、送受信手段３９が設けられている。上記送受信手段３９は、例えばインターネット等の通信回線（ＮＥＴ）に接続され、撮影画像や合成画像，アンケートの回答等を上記通信回線を介して外部に出力し、外部のサーバに格納したり端末装置等に出力して表示したり印刷したりできるようになっている。
【００３８】
さらに、上記コンピュータ装置７は、プリンタ９による印刷を制御する印刷制御部３４を備えている。上記印刷制御部３４は、所定のシートレイアウトにより印刷媒体１５に合成画像を印刷するよう制御する。ここで、上記第２ディスプレイ８ｂの表示部３６には、印刷媒体１５の送出口１９の位置を使用者２に知らせるメッセージ画面を表示するようになっている。
【００３９】
上記写真自販機の動作の一例について、図４のフローチャートを参照しながら説明する。ここで、図４において、「Ｓ」はステップを意味する。
【００４０】
まず、使用者は、第１筐体１ａ前の第１ブース１４ａに入り、第１ディスプレイ８ａにデモ画面が表示されているなか、使用者２がコイン投入口１８に必要なコインを投入すると（Ｓ１２０）、カメラ６による被写体２の撮像が開始される（Ｓ１４０）。撮像の開始により、第１ディスプレイ８ａに撮像映像が動画としてリアルタイムで表示される。
【００４１】
つぎに、使用者２が第１ディスプレイ８ａの表示画像を見ながら被写体２の位置調整を完了した後に、シャッタボタン１３を操作してシャッタ操作の操作信号を入力すると（Ｓ１６０）、使用者２にポーズをとるよう指示し、それから所定時間のカウントダウン後に、所定の瞬間の撮像映像が固定画像記憶部３８に固定される（Ｓ１８０）。このとき、第１ディスプレイ８ａには、そのときの撮影画像が静止画像として表示される。
【００４２】
そして、固定された静止画像を第１ディスプレイ８ａに表示して使用者２に対してプレビュー確認させ、第１ディスプレイ８ａにはプレビューを確認させた静止画像について撮りなおしを希望するか否かの選択を促すメッセージを表示する（Ｓ２００）。
【００４３】
ステップ２００において、使用者２が撮りなおしを希望する場合は、キャンセルボタン２０の操作によるキャンセル操作を行なってステップ１６０に戻り、再度、カメラ６による撮像とシャッタ操作とを行なう。ステップ２００において、撮りなおしを行なわない場合は、カウンタ２５の撮影回数が規定の撮影可能回数に達しているか否かが確認される（Ｓ２２０）。
【００４４】
ステップ２２０において、規定の撮影可能回数に達していなければ、ステップ１６０に戻り、再度、カメラ６による撮像とシャッタ操作とを行なう。一方、ステップ２２０において、規定の撮影可能回数に達していれば、第１ディスプレイ８ａに「撮影は終了です。隣のブースでお絵かきをしてください」というメッセージが表示され、第１筐体１での撮影動作は終了する。
【００４５】
つぎに、使用者２は、第１筐体１ａ前の第１ブース１４ａから第２筐体１ｂ前の第２ブース１４ｂに移動してタッチペン１２を操作することによる手書き画像等の入力を開始する（Ｓ２４０）。
【００４６】
ここで、図２に示すように、第１の使用者２ａが第２ブース１４ｂに移動して手書き画像の入力を開始すると、第２の使用者２ｂが第１ブース１４ａに入ってコインを投入し、ステップ１２０〜ステップ２２０の撮影動作を行ない得るようになっている。このように、第１筐体１ａのカメラ６による撮影と、第２筐体１ｂのタッチペン１２による手書き画像の入力とを同時に行ない得るようになっているため、カメラ６によって撮影された撮影画像への手書き画像の入力を行なうときに、つぎの使用者による撮影が開始でき、顧客はイライラ感を抱かなくなり、店舗にとっては顧客の回転率が向上する。
【００４７】
第２ディスプレイ８ｂに表示される手書き画像の入力画面の一例を図５に示す。この手書き画像入力画面において、２１ａ，２１ｂ，２１ｃは、それぞれ手書きペン，スタンプ画像，アルファベット文字を入力する際にタッチペン１２でタップするアイコンである。
【００４８】
手書き画像を入力する際には、手書きペンのアイコン２１ａをタッチペン１２の先端でタップしてから、タッチペン１２の先端を、第２ディスプレイ８ｂに表示された撮影画像２２の上に接触させて絵や文字を描くことにより、手書き画像の入力が行なわれる。
【００４９】
スタンプ画像を入力する際には、スタンプ画像のアイコン２１ｂをタッチペン１２の先端でタップしてから、タッチペン１２の先端を、第２ディスプレイ８ｂに表示された撮影画像２２の上に接触させることにより、スタンプ画像の入力が行なわれる。
【００５０】
アルファベット文字を入力する際には、アルファベット文字のアイコン２１ｃをタッチペン１２の先端でタップしてから、タッチペン１２の先端を、第２ディスプレイ８ｂに表示された撮影画像２２の上に接触させることにより、アルファベット文字の入力が行なわれる。
【００５１】
このようにして、図６に示すように、手書き画像２７やスタンプ画像２８等が入力され、表示された撮影画像２２の上に合成される。
【００５２】
そして、上記手書き画像等の入力は、タイマ２６の計測時間があらかじめ設定された所定の入力可能時間（例えば９０秒等）に達するまで続けられる（Ｓ２６０）。ステップ２６０において規定の入力可能時間に達すると、手書き画像等の入力が停止され、印刷の際のシートレイアウトの選択が行なわれる（Ｓ２８０）。ここでのシートレイアウトの選択は、第２ディスプレイ８ｂの表示部３６にシートレイアウトの見本画面が表示され、タッチペン１２の操作により所望のシートレイアウトを選択することが行なわれる。
【００５３】
ついで、シートレイアウトの選択が終了すると、合成画像の画像データがプリンタ９に送られ、ステップ２８０で選択されたシートレイアウトにより印刷が開始される（Ｓ３００）。印刷が開始されると、印刷終了までの間に使用者２が待機する場所を示す待機メッセージ画面が第２ディスプレイ８ｂの表示部３６に表示される（Ｓ３２０）。
【００５４】
上記待機メッセージ画面は、例えば、図７に示すように、印刷された写真プリントが送出口１９から送出される場所（この例では第２筐体１ｂの左側面）を示す矢印２９と、「プリントしています。こちらがわに出てまっててね！」というメッセージとが表示されている。そして、一定時間待機メッセージ画面を表示したのち、第２ディスプレイ８ｂにはデモ画面が表示され、印刷の終了を待たずにつぎの使用者の手書き画像の入力を待機する状態となる。そののち、印刷が終了すると、印刷された印刷媒体１５（写真プリント）が出力される。
【００５５】
ここで、シートレイアウトの一例を図８に示す。この例では、写真プリントとしてシールプリントに出力した例を示しており、４１はシール台紙、４２はシールである。
【００５６】
このように、上記写真自販機によれば、撮影は第１筐体１ａ前の第１ブース１４ａで行い、手書き画像の入力は第２筐体１ｂ前の第２ブース１４ｂで行なうことができる。このように、撮影と手書き画像の入力を異なる場所で行うことから、顧客は不必要に待たされることによるイライラ感を抱かなくなり、店舗にとっては顧客の回転率が大幅に向上する。また、第１筐体１ａ前の第１ブース１４ａで撮影が終了した使用者は、スムーズに第２筐体１ｂ前の第２ブース１４ｂの前に移動して第２画像の入力を行なえる。また、異なる顧客が同時に撮影と手書き画像の入力を行なっても、隣の顧客が気になりにくいため、場所を移動することによる混乱等が少なくなる。
【００５７】
なお、上記写真自販機において、合成画像を印刷するかわりに、送受信手段３９により通信回線を介して外部に出力し、外部のサーバに格納したり端末装置等に出力して表示したり、あるいは外部で印刷したりすることもできる。また、上記写真自販機では、コンピュータ装置７を第２筐体１ｂ内に設けるようにしたが、コンピュータ装置７を第１筐体１ａ内に設けるようにしても良い。
【００５８】
また、上記実施の形態では、第１筐体１ａと第２筐体１ｂとを備えた例を示したが、これに限定するものではなく、第１筐体１ａと第２筐体１ｂ以外に第３筐体や第４筐体を備えるようにしてもよいし、第１筐体１ａと第２筐体１ｂとを一体的に形成して１つの筐体にすることもできる。
【００５９】
また、上記実施の形態において、プリンタ９としては、昇華型プリンタ，インクジェットプリンタ，レーザプリンタ，熱転写型プリンタ，溶融型プリンタ，サーマルプリンタ，印画紙プリンタ，インスタントフィルムプリンタ等、各種のタイプのプリンタを適用することができ、特に限定するものではない。
【００６０】
また、上記実施の形態では、出力する写真プリントがシールプリントである例を示したが、これに限定するものではなく、カード等として出力するものも含む趣旨であり、印刷媒体１５の材質や構成を限定する趣旨ではない。
【００６１】
また、上記実施の形態では、コインの投入により撮影を開始するようにしたが、これに限定するものではなく、紙幣，プリペイドカード，メダル，クレジットカード，キャッシュカード等、撮影の対価として支払いうるものであれば、各種の態様を含む趣旨である。また、これらは、単独で用いる場合だけでなく、組み合わせて用いる場合も含む趣旨である。
【００６２】
また、上記実施の形態では、カメラ６での撮像映像とペン入力画像等とのふたつの画像を合成するようにしたが、これに限定するものではなく、これらの画像に、さらに前景や背景等になるフレーム画像を合成するようにしてもよい。
【００６３】
また、上記実施の形態において、カメラ６としては、デジタルカメラを用いることもできるし、ビデオカメラを用いることもでき、撮影画像を電気信号に変換しうるものであれば特に限定するものではなく、各種のものを用いることができる。さらに、上記実施の形態では、１台のカメラ６を備えた例を示したが、これに限定するものではなく、複数台のカメラ６を備えるようにしても差し支えない。
【００６４】
また、上記実施の形態では、スタンプ画像は、スタンプ画像格納部（図示せず）に格納されたものを用いるようにしたが、これに限定するものではなく、フロッピディスク，ＣＤ−ＲＯＭ，ＣＤ−Ｒ，光磁気ディスク等の各種の記憶媒体に記憶された画像データを読取って使用するようにすることもできる。
【００６５】
【発明の効果】
以上のように、本発明の写真自販機によれば、撮影は第１筐体のカメラで行い、第２画像の入力は第２筐体のディスプレイで行なうことができる。このように、撮影と第２画像の入力を異なる場所で行うことから、顧客は不必要に待たされることによるイライラ感を抱かなくなり、店舗にとっては顧客の回転率が大幅に向上する。
【図面の簡単な説明】
【図１】本発明の写真自販機の一実施の形態を示す斜視図である。
【図２】上記写真自販機を示す横断面図である。
【図３】コンピュータ装置のシステム構成図である。
【図４】上記写真自販機の動作の一例を説明するフローチャート図である。
【図５】手書き画像の入力画面の一例を示す図である。
【図６】手書き画像の入力状態の一例を示す図である。
【図７】メッセージ画面の一例を示す図である。
【図８】合成画像をシールプリントに出力した状態の一例を示す図である。
【図９】従来例を示す断面図である。
【符号の説明】
１ａ  第１筐体
１ｂ  第２筐体
２  被写体
６  カメラ
８ｂ  第２ディスプレイ
９  プリンタ
１２  タッチペン
１４ａ  第１ブース
１４ｂ  第２ブース
１５  印刷媒体
【図１】
0004662663.tif 000002
【図２】
0004662663.tif 000003
【図３】
0004662663.tif 000004
【図４】
0004662663.tif 000005
【図５】
0004662663.tif 000006
【図６】
0004662663.tif 000007
【図７】
0004662663.tif 000008
【図８】
0004662663.tif 000009
【図９】
0004662663.tif 000010